(57)【要約】【課題】ワイヤハーネスの挿通部分に傾きが生じてもサブシール部のシール性を確保することができる防水性に優れたグロメットを提供する。【解決手段】本発明によるグロメット１は、軸方向ＡＸに沿って貫通する貫通孔２ａを有する筒体部２と、筒体部２の外周側に位置してパネル部材Ｐに開口する取付穴Ｈの内周部に嵌入される第１環状シール部３と、パネル部材Ｐの一面側Ｐ１に対面するよう第１環状シール部３の近傍から径方向の外側に拡径するフランジ部４と、フランジ部４から突出して取付穴Ｈを取り巻くようにパネル部材Ｐの一面側Ｐ１に当接する第２環状シール部５と、を備えたグロメット１であって、第２環状シール部５は、軸方向ＡＸに対し互いに異なる複数の方向に曲がった断面形状を有している。【選択図】図４
2014212585.tif 000002
【特許請求の範囲】
【請求項１】
軸方向に沿って貫通する貫通孔を有する筒体部と、
該筒体部の外周側に位置してパネル部材に開口する取付穴の内周部に嵌入される第１環状シール部と、
前記パネル部材の一面側に対面するよう前記第１環状シール部の近傍から径方向の外側に拡径するフランジ部と、
前記フランジ部から突出して前記取付穴を取り巻くように前記パネル部材の前記一面側に当接する第２環状シール部と、
を備えたグロメットであって、
前記第２環状シール部は、前記軸方向に対し互いに異なる複数の方向に曲がった断面形状を有していることを特徴とするグロメット。
【請求項２】
前記第２環状シール部は、少なくとも一部で前記筒体部の径方向の一方側から他方側に折り返された蛇腹状をなしていることを特徴とする請求項１に記載のグロメット。
【請求項３】
前記第２環状シール部よりも前記径方向の内方側で前記フランジ部から突出して前記取付穴を取り巻くように前記パネル部材の前記一面側に当接する第３環状シール部をさらに備えたことを特徴とする請求項１または２に記載のグロメット。
【発明の詳細な説明】
【技術分野】
【０００１】
本発明は、グロメットに関し、詳しくは、車体パネル等のパネル部材に開口する取付穴に装着したとき、その取付穴に挿通したワイヤハーネス等を絶縁保護するとともに取付穴を水密的に封止して防水性を確保するグロメットに関する。
【背景技術】
【０００２】
一般に、車体の内外を区画する車体パネルには、配線や配管を挿通させる複数の開口が形成されており、ワイヤハーネス等を挿通させるために車体パネルに開口する取付穴には、その取付穴に挿通したワイヤハーネス等を絶縁保護するとともに取付穴を水密的に封止して防水性を確保するグロメットが取り付けられている。
【０００３】
従来のこの種のグロメットとしては、パネル部材としての車体パネルに開口する取付穴の内周縁部に嵌合するグロメットのシール部に、車体パネルの板厚より幅広の凹状をなす第１凹状嵌合部と、それより凹状の内幅が狭い第２凹状嵌合部とを設けるとともに、両嵌合部より車外側のフランジ部に、車体パネルに当接するようグロメットの延在方向に突出するリブを設けたものが知られている（例えば、特許文献１参照）。このフランジのリブは、取付穴の周囲で車体パネルに当接するサブシール部として機能し得るようになっている。
【先行技術文献】
【特許文献】
【０００４】
【特許文献１】特開２００１−２６６６８５号公報
【発明の概要】
【発明が解決しようとする課題】
【０００５】
しかしながら、上述の従来のグロメットにあっては、ワイヤハーネスの配策作業時にワイヤハーネスからグロメットの端部に強い引張り力等が作用してしまい、ワイヤハーネスが挿通されるグロメットの管状部分が車体パネルに対して傾いてしまう場合があった。その場合、グロメットの管状部分が車体パネルに対して傾くだけでなく、グロメットに一体形成されたフランジも車体パネルに対して傾いてしまう。そのため、ワイヤハーネスの配策作業時に、フランジ状の環状のリブがサブシール部として機能するための車体パネルに対する当接状態が損なわれて、サブシール部を用いるグロメットの防水機能が低下してしまうという問題があった。
【０００６】
本発明は、上述のような課題を解決するためになされたもので、ワイヤハーネスの挿通部分に傾きが生じてもサブシール部のシール性を安定確保することができる防水性に優れたグロメットを提供することを目的とする。
【課題を解決するための手段】
【０００７】
本発明に係るグロメットは、上記目的達成のため、軸方向に沿って貫通する貫通孔を有する筒体部と、該筒体部の外周側に位置してパネル部材に開口する取付穴の内周部に嵌入される第１環状シール部と、前記パネル部材の一面側に対面するよう前記第１環状シール部の近傍から径方向の外側に拡径するフランジ部と、前記フランジ部から突出して前記取付穴を取り巻くように前記パネル部材の前記一面側に当接する第２環状シール部と、を備えたグロメットであって、前記第２環状シール部は、前記軸方向に対し互いに異なる複数の方向に曲がった断面形状を有して構成されている。
【０００８】
この構成により、本発明に係るグロメットは、パネル部材に嵌合した状態で組み付け時に貫通孔に挿通されたワイヤハーネスと共に筒体部が傾いた場合、例えば、パネル部材の一面側において筒体部が離間する方向に傾いた側の第２環状シール部が部分的に伸び、パネル部材の一面側において筒体部が接近する方向に傾いた側の第２環状シール部が部分的に圧縮するので、パネル部材と第２環状シール部との間に隙間ができず、シール性を確保することができる。
【０００９】
なお、上記構成のグロメットにおいて、前記第２環状シール部は、少なくとも一部で前記筒体部の径方向の一方側から他方側に折り返された蛇腹状をなしているグロメットとしてもよい。
【００１０】
この構成により、本発明に係るグロメットは、第２環状シール部において簡単に可撓性を有することができる。
【００１１】
また、上記構成のグロメットは、前記第２環状シール部よりも前記径方向の内方側で前記フランジ部から突出して前記取付穴を取り巻くように前記パネル部材の前記一面側に当接する第３環状シール部をさらに備えたグロメットとしてもよい。
【００１２】
この構成により、本発明に係るグロメットは、第２環状シール部がパネル部材の一面側から浮いてパネル部材との間に隙間が生じた場合においても、第３環状シール部がパネル部材との間をシールすることができる。
【発明の効果】
【００１３】
本発明によれば、ワイヤハーネスの挿通部分に傾きが生じてもサブシール部のシール性を安定確保することができる防水性に優れたグロメットを提供することができる。
【図面の簡単な説明】
【００１４】
【図１】本発明の第１の実施の形態に係るグロメットを示す正面図である。
【図２】本発明の第１の実施の形態に係るグロメットを示す図１のＡ−Ａ線の断面図である。
【図３】本発明の第１の実施の形態に係るグロメットを示し、（Ａ）は図２の範囲Ｂを拡大した部分断面図（Ｂ）は図４の範囲Ｃを拡大した部分断面図である。
【図４】本発明の第１の実施の形態に係るグロメットをパネル部材に嵌合した状態を示す断面図である。
【図５】本発明の第１の実施の形態に係るグロメットの作用を説明するための断面図である。
【図６】本発明の第２の実施の形態に係るグロメットを示す断面図である。
【図７】本発明の第２の実施の形態に係るグロメットの作用を説明するための断面図である。
【図８】本発明の第３の実施の形態に係るグロメットを示し、図３に対応した位置の部分断面図である。
【図９】本発明の第３の実施の形態に係るグロメットを示し、図３に対応した位置の部分断面図である。
【図１０】本発明の第３の実施の形態に係るグロメットを示し、図３に対応した位置の部分断面図である。
【図１１】本発明の第３の実施の形態に係るグロメットを示し、図３に対応した位置の部分断面図である。
【発明を実施するための形態】
【００１５】
次に、本発明に係る一実施の形態について図面を参照して説明する。
【００１６】
（第１の実施の形態）
まず、グロメットの構成を説明する。本実施の形態として示すグロメットは、車両用のワイヤーハーネスに適用するものである。図１ないし図５は、本実施の形態に係るグロメットを示す図である。
【００１７】
図１ないし図５に示すように、グロメット１は、軸方向ＡＸに沿って貫通する貫通孔２ａを有する筒体部２と、この筒体部２の外周側に位置してパネル部材Ｐの取付穴Ｈの内周部に嵌入される第１環状シール部３と、パネル部材Ｐの一面側Ｐ１に対面するよう第１環状シール部３のパネル部材Ｐへの嵌入部分近傍から径方向の外側に拡径するフランジ部４と、フランジ部４から突出して取付穴Ｈを取り巻くようにパネル部材Ｐの一面側Ｐ１に当接する第２環状シール部５と、を備える。また、グロメット１は、筒体部２の外周から径方向外側に張り出してフランジ部４に対向する張出部６を備える。なお、グロメット１は、これら各部２〜６が一体成型によって合成ゴムまたはエラストマー等の弾性体から構成され、ワイヤーハーネスＷを筒体部２で支持するようになっている。
【００１８】
パネル部材Ｐは、例えば、車体パネル等であり、グロメット１を介してワイヤーハーネスＷを挿通させるための取付穴Ｈを有する。取付穴Ｈは、パネル部材Ｐに設けられた円状の貫通孔であり、グロメット１が装着される。
【００１９】
筒体部２は、円筒形状であり、内部に軸方向ＡＸに沿って貫通する貫通孔２ａを有し、その外側から順に張出部６、第１環状シール部３、フランジ部４および第２環状シール部５が連続して一体成型で設けられている。
【００２０】
第１環状シール部３は、筒体部２の外周側に、張出部６を介して筒体部２に支持され、パネル部材Ｐの取付穴Ｈの内周部に嵌入される。また、第１環状シール部３は、その外径が取付穴Ｈの直径よりも大径に形成されている。したがって、第１環状シール部３は、取付穴Ｈの内周部に嵌入したときには、弾性変形により凹んで取付穴Ｈを封止することができる。
【００２１】
フランジ部４は、筒体部２の外周側に、パネル部材Ｐの一面側Ｐ１に対面するように第１環状シール部３の端部から径方向の外側に向かって拡径して構成される。
【００２２】
第２環状シール部５は、取付穴Ｈの周囲でパネル部材Ｐに当接するようフランジ部４に軸方向ＡＸに突出して設けられ、軸方向ＡＸに対し互いに異なる複数の方向に曲がった断面形状を有している。詳述すると、第２環状シール部５は、少なくとも一部で筒体部２の径方向の一方側から他方側に折り返された蛇腹状をなして可撓性を有するようになっている。これにより、第２環状シール部５は、パネル部Ｐの一面側Ｐ１に当接するサブシール部として機能する。
【００２３】
張出部６は、断面形状において、パネル部Ｐの他面側Ｐ２に位置する筒体部２の端部寄りから径方向の外側に向かって突出した後にパネル部Ｐの一面側Ｐ１に位置する筒体部２の端部に向かいかつ径方向の内側に向かって延在している。これにより、張出部６は、軸方向ＡＸに沿う厚みを有するとともに、軸方向ＡＸに沿う略中央部分が最大径となるように膨らんでいる。これにより、張出部６は、筒体部２との間に中空の遮音用空間６ａを構成する。なお、張出部６の筒体部２に接続する部分は、強度を保つために他の部分よりも厚肉となっている。
【００２４】
さらに、張出部６のパネル部Ｐの一面側Ｐ１の周端部は筒体部２から離れて遊び空間部６ｂを有している。これにより、張出部６は、グロメット１をパネル部材Ｐに装着した状態、すなわち、取付穴Ｈの内周部に第１環状シール部３を嵌入した状態では、筒体部２をパネル部Ｐの他面側Ｐ２で片持ち状態で支持する。
【００２５】
したがって、張出部６は、貫通穴２ａにワイヤーハーネスＷを挿入して筒体部２で支持した状態でのワイヤーハーネスＷからの荷重に対して、筒体部２をフランジ部４および第２環状シール部５とは独立して変位可能となっている。
【００２６】
次に、図４および図５を参照して、本実施の形態に係るグロメット１における作用を説明する。
【００２７】
図４に示すように、グロメット１は、パネル部材Ｐの取付穴Ｈに装着された状態において、第１環状シール部３が取付穴Ｈの内周部に嵌入し、第２環状シール部５がパネル部材Ｐの一面側Ｐ１に当接して軸方向ＡＸに沿って押し潰されるように圧縮する。その結果、第１環状シール部３および第２環状シール部５によって、二重にシールすることができる。
【００２８】
また、図５に示すように、ワイヤハーネスＷを取付穴Ｈに挿通させるために筒体部２に挿入する時或いはワイヤハーネスＷの引き回しや配索作業等にワイヤーハーネスＷと共に筒体部２が傾斜する場合がある。
【００２９】
ここで、上述したように、筒体部２は張出部６によって片持ち状態で支持されていることから、ワイヤーハーネスＷ並びに筒体部２の傾斜が小さい状態では、フランジ部４および第２環状シール部５に対して作用を及ぼすことなく膨張部６の弾性変形によって筒体部２がフランジ部４および第２環状シール部５と独立して傾斜する。
【００３０】
一方、ワイヤーハーネスＷ並びに筒体部２の傾斜が大きく、膨張部６の弾性変形によって吸収しきれなくなると、次にフランジ部４も傾斜する。しかしながら、本実施の形態においては、第２環状シール部５が蛇腹状をなして可撓性を有することから、例えば、パネル部材Ｐの一面側Ｐ１において筒体部２が離間する方向に傾いた側の第２環状シール部５は部分的に伸びる。また、パネル部材Ｐの一面側Ｐ１において筒体部２が接近する方向に傾いた側の第２環状シール部５は部分的に圧縮する。これにより、パネル部材Ｐと第２環状シール部５との間に隙間ができず、シール性を確保することができる。なお、第２環状シール部５が部分的に伸びるとは、圧縮状態から開放される、すなわち、弾性により状態復帰することを意味し、組成的に伸び縮みすることを意味するものではない。
【００３１】
以上のように、本実施の形態に係るグロメット１は、パネル部材Ｐに装着した状態で筒体部２挿通されたワイヤハーネスＷと共に筒体部２が傾いた場合においても、第２環状シール部５が、可撓性を有し、筒体部２の傾斜方向に応じて部分的に伸縮作用を発揮することができ、パネル部材Ｐと第２環状シール部５との間のシール性を確保することができ、取付穴Ｈを水密的に封止して防水性を確保することができる。
【００３２】
なお、第１環状シール部３は、上述したように、取付穴Ｈを封止した状態を確保するために、その外径を取付穴Ｈの直径よりも大径としている。この際、第１環状シール部３は、パネル部材Ｐに対して上述した筒体部２が傾斜したときでも取付穴Ｈの内周部に対して隙が発生しないように軸方向ＡＸに沿う長さを有する筒状としている。
【００３３】
それと同時に、第１環状シール部３は、取付穴Ｈを封止した状態をより一層確保することを目的とし、張出部６の一部を機能的に第１環状シール部３として利用している。
【００３４】
すなわち、第１環状シール部３との境界付近に位置する張出部６の傾斜部分は、図４に示すように筒体部２が傾斜していない状態、図５に示すように筒体部２とフランジ部４とが傾斜している状態、のいずれにおいてもパネル部材Ｐの他面側Ｐ２に当接している。
【００３５】
これにより、図３（Ｂ）に示すように、張出部６の傾斜部分をパネル部材Ｐの他面側Ｐ２に当接させることにより、取付穴Ｈの内周部との間に隙を発生させ難くする機能を確保するための第１環状シール部３の傾斜シール部３ａとして利用することができる。
【００３６】
（第２の実施の形態）
図６および図７は、第２の実施の形態に係るグロメットを示しており、第１の実施の形態と同一の構成には同一番号を付して説明を省略し、相違する構成を中心に説明する。本実施の形態に係るグロメット１Ａは、第１の実施の形態と同様に、貫通孔２ａを有する筒体部２と、第１環状シール部３と、フランジ部４と、第２環状シール部５と、張出部６と、を備える。
【００３７】
さらに、第２の実施の形態に係るグロメット１Ａは、第２環状シール部５よりも径方向の内方側でフランジ部４から突出して取付穴Ｈを取り巻くようにパネル部材Ｐの一面側Ｐ１に当接する第３環状シール部７をさらに備える。
【００３８】
第３環状シール部７は、フランジ部４からの突出高さＬ１が、第２環状シール部５のフランジ部４からの突出高さＬ２よりも高くなるように形成されている。したがって、第１環状シール部３がパネル部材Ｐの取付穴Ｈの内周部に嵌入されると、パネル部材Ｐの一面側Ｐ１に当接する第３環状シール部７の撓みは、パネル部材Ｐの一面側Ｐ１に当接する第２環状シール部５の撓みよりも小さくなる。
【００３９】
第２の実施の形態によれば、図７に示すように、グロメット１は、ワイヤーハーネスＷと共に筒体部２が傾き、その傾きの大きさ並びに方向によって第２環状シール部５の一部がパネル部材Ｐの一面側Ｐ１から浮いて隙間が生じた場合であっても、第３環状シール部７がパネル部材Ｐの一面側Ｐ１に当接した状態を維持し、第３環状シール部７とパネル部材Ｐの一面側Ｐ１との間をシールすることができる。
【００４０】
（第３の実施の形態）
図８〜図１１は、第３の実施の形態に係るグロメットを示しており、第１の実施の形態と同一の構成には同一番号を付して説明を省略し、相違する構成を中心に説明する。上記実施の形態では、第２の環状シール部５の断面形状を径方向の内外に交互に屈曲させた蛇行状態により全体を蛇腹状をなして可撓性を有するとしたが、これに限らない。
【００４１】
すなわち、図８に示すように、径方向の外側に向かって軸方向に沿って交互逆方向に屈曲させた蛇行状態により全体を蛇腹状をなして可撓性を有する第２の環状シール部８のように構成してもよい。
【００４２】
また、図９に示すように、径方向の内外に交互に屈曲させた蛇行状態の部分と軸方向ＡＸに沿った直線部分とにより全体を蛇腹状をなして可撓性を有する第２の環状シール部９のように構成してもよい。この際、屈曲する回数は、図１０に示すように、各２回以上とした第２の環状シール部１０のように構成してもよい。
【００４３】
また、図９に示すように、径方向の内外に交互に屈曲させた蛇行状態の部分と軸方向ＡＸに沿った直線部分とにより全体を蛇腹状をなして可撓性を有する第２の環状シール部９のように構成してもよい。この際、屈曲する回数は、図１０に示すように、各２回以上とした第２の環状シール部１０のように構成してもよい。同様に、径方向に屈曲する振幅幅は、図１１に示すように、中途部で小さくした第２の環状シール部１１のように構成してもよい。
【００４４】
なお、上記実施の形態において、各第２環状シール部５，８，９，１０，１１は、軸方向ＡＸの少なくとも一部で筒体部２の径方向の一方側から他方側に折り返された蛇腹状をなしており、全周で同一断面形状であるが、必ずしも全周で同一断面形状でなくてもよい。すなわち、ワイヤハーネスの配索方向や取付穴Ｈの開口形状に応じて、蛇腹状の断面形状が部分的に相違してもよい。
【００４５】
ところで、上記実施の形態では、グロメット１を車両用のワイヤハーネスに適用した場合で説明したが、これに限定されるものではない。例えば、本発明に係るグロメットは、ワイヤハーネスの挿通部分に傾きが生じてもサブシール部のシール性を安定確保することができる防水性に優れたグロメットとすることができるという効果を有し、パネル部材に開口する取付穴に装着したとき、その取付穴に挿通したワイヤハーネス等を絶縁保護するとともに取付穴を水密的に封止して防水性を確保するグロメット全般に有用である。
【符号の説明】
【００４６】
１  グロメット
２  筒体部
２ａ  貫通孔
３  第１環状シール部
４  フランジ部
５  第２環状シール部（サブシール部）
７  第３環状シール部
Ｐ  パネル部材
Ｈ  取付穴
ＡＸ  軸方向
【図１】
2014212585.tif 000003
【図２】
2014212585.tif 000004
【図３】
2014212585.tif 000005
【図４】
2014212585.tif 000006
【図５】
2014212585.tif 000007
【図６】
2014212585.tif 000008
【図７】
2014212585.tif 000009
【図８】
2014212585.tif 000010
【図９】
2014212585.tif 000011
【図１０】
2014212585.tif 000012
【図１１】
2014212585.tif 000013